(57)【要約】【課題】  プロジェクタで表示された表示画面内の任意の位置にポインターを表示させる際の操作を容易にしたポインティングシステムを提供する。【解決手段】  複数の座標キーＫと、この座標キーに対応付けた、プロジェクタ表示画面内の座標データを記憶する記憶部９と、プロジェクタに座標データを発信する発信部１０と、特定の座標キーが操作されたとき、その座標キーに対応付けられた座標データを発信部から発信させる制御部８とを有する携帯端末１を備えたポインティングシステムを前提とする。そして、上記プロジェクタ２は、上記発信部１０から発信された座標データを受信し、この座標データに基づいてプロジェクタ表示画面３内にポインターＰを表示する。【選択図】  図１
2010165031.tif 000002
【特許請求の範囲】
【請求項１】
複数の座標キーと、この座標キーに対応付けた、プロジェクタ表示画面内の座標データを記憶する記憶部と、プロジェクタに座標データを発信する発信部と、特定の座標キーが操作されたとき、その座標キーに対応付けられた座標データを発信部から発信させる制御部とを有する携帯端末を備えたポインティングシステムであって、上記プロジェクタは上記発信部から発信された座標データに基づいてプロジェクタ表示画面内にポインターを表示するポインティングシステム。
【請求項２】
携帯端末のキーのうち、座標データと対応付けされていないキーを決定キーと特定する一方、上記記憶部には、１つの座標キーに対応付けた座標データおよび複数の座標キーからなるキーの組み合わせに対応した座標データを記憶し、制御部は決定キーの操作を区切りとして、上記決定キーの操作前に操作された１または複数の座標キーに対応した座標データを特定し、この座標データを上記発信部から発信させる請求項１に記載のポインティングシステム。
【請求項３】
複数の座標キーを備えるとともに、これら座標キーが操作されたときこの座標キーに対応した座標キー信号を出力する発信部を有する携帯端末と、プロジェクタとを備え、このプロジェクタは、上記座標キー信号を受信する受信部と、上記座標キー信号に対応付けた、プロジェクタ表示画面内の座標データを記憶する記憶部と、受信した座標キー信号に対応付けられた座標データを特定して、この座標データに基づいてプロジェクタ表示画面内にポインターを表示する制御部とを有するポインティングシステム。
【請求項４】
携帯端末のキーのうち、座標キー信号と対応付けされていないキーを決定キーと特定し、この特定キーが操作されたとき、上記発信部から決定信号を出力する一方、上記プロジェクタの記憶部には、１つの座標キー信号に対応付けた座標データおよび複数の座標キー信号からなる座標キー信号の組み合わせに対応した座標データを記憶し、プロジェクタの制御部は決定キーの操作を区切りとして、上記決定信号の受信前に入力された１または複数の座標キー信号に対応した座標データを特定し、この座標データに基づいてプロジェクタ表示画面にポインターを表示させる請求項３に記載のポインティングシステム。
【請求項５】
上記座標キーの配列が構成するマトリックスと、プロジェクタ表示画面を分割して構成されたマトリックスとを対応させた請求項１〜４のいずれか１に記載のポインティングシステム。
【請求項６】
プロジェクタ表示画面に表示された画像と同一画像を携帯端末のディスプレイに表示させ、上記座標キーの配列が構成するマトリックスと、このディスプレイ画面を分割して構成されたマトリックスと、プロジェクタ表示画面を分割して構成されたマトリックスとのそれぞれを対応させた請求項１〜５のいずれか１に記載のポインティングシステム。
【発明の詳細な説明】
【技術分野】
【０００１】
この発明は、プロジェクタによる表示画面中に、所定の位置を指し示すポインターを表示させるポインティングシステムに関する。
【背景技術】
【０００２】
従来から、プロジェクタを用いてコンピュータ画面をスクリーン上に表示させ、プレゼンテーションなどを行なう際に、スクリーン上に表示された画面内の任意の位置を指し示す方法として、コンピュータ画面の中で、マウスポインターを操作して、特定の位置を指し示す方法がある。しかし、説明者が、上記画像を制御するコンピュータとは別の場所にいる場合には、コンピュータのマウスを操作して所定の位置をポインティングすることはできない。そのため、レーザーポインターを用いて、画像上の任意の位置を発光させて示したり、矢印キーなどを有するリモコンでコンピュータ画像上のカーソルを移動させたりすることが知られている。
【先行技術文献】
【特許文献】
【０００３】
【特許文献１】特開２００８−０２７０８０号公報
【特許文献２】特開２００８−２９３２８９号公報
【発明の概要】
【発明が解決しようとする課題】
【０００４】
上記のように、レーザーポインターを用いて画面上の位置を指し示す方法では、ポインターとスクリーンとの距離が遠くなると、僅かな手元のずれが、スクリーン上では大きくなるので、スクリーン上の所定の位置を、正確に指し示すことは難しい。
一方、リモコンを用いてコンピュータ画面上で任意の位置を指し示す場合にも、カーソルを矢印キーで目的の位置へ移動させる操作は難しく、正確に目的位置を示すためには、時間がかかるという問題があった。
この発明の目的は、プロジェクタで表示された表示画面内の任意の位置にポインターを表示させる際の操作を容易にしたポインティングシステムを提供することである。
【課題を解決するための手段】
【０００５】
第１の発明は、複数の座標キーと、この座標キーに対応付けた、プロジェクタ表示画面内の座標データを記憶する記憶部と、プロジェクタに座標データを発信する発信部と、特定の座標キーが操作されたとき、その座標キーに対応付けられた座標データを発信部から発信させる制御部とを有する携帯端末を備えたポインティングシステムであって、上記プロジェクタは上記発信部から発信された座標データに基づいてプロジェクタ表示画面内にポインターを表示する点に特徴を有する。
【０００６】
第２の発明は、上記第１の発明を前提とし、携帯端末のキーのうち、座標データと対応付けされていないキーを決定キーと特定する一方、上記記憶部には、１つの座標キーに対応付けた座標データおよび複数の座標キーからなるキーの組み合わせに対応した座標データを記憶し、制御部は決定キーの操作を区切りとして、上記決定キーの操作前に操作された１または複数の座標キーに対応した座標データを特定し、この座標データを上記発信部から発信させる点に特徴を有する。
【０００７】
第３の発明は、複数の座標キーを備えるとともに、これら座標キーが操作されたときこの座標キーに対応した座標キー信号を出力する発信部を有する携帯端末と、プロジェクタとを備え、このプロジェクタは、上記座標キー信号を受信する受信部と、上記座標キー信号に対応付けた、プロジェクタ表示画面内の座標データを記憶する記憶部と、受信した座標キー信号に対応付けられた座標データを特定して、この座標データに基づいてプロジェクタ表示画面内にポインターを表示する制御部とを有する点に特徴を有する。
【０００８】
第４の発明は、上記第３の発明を前提とし、携帯端末のキーのうち、座標キー信号と対応付けされていないキーを決定キーと特定し、この特定キーが操作されたとき、上記発信部から決定信号を出力する一方、上記プロジェクタの記憶部には、１つの座標キー信号に対応付けた座標データおよび複数の座標キー信号からなる座標キー信号の組み合わせに対応した座標データを記憶し、プロジェクタの制御部は決定キーの操作を区切りとして、上記決定信号の受信前に入力された１または複数の座標キー信号に対応した座標データを特定し、この座標データに基づいてプロジェクタ表示画面にポインターを表示させる点に特徴を有する。
【０００９】
第５の発明は、上記座標キーの配列が構成するマトリックスと、プロジェクタ表示画面を分割して構成されたマトリックスとを対応させた点に特徴を有する。
第６の発明は、プロジェクタ表示画面に表示された画像と同一画像を携帯端末のディスプレイに表示させ、上記座標キーの配列が構成するマトリックスと、このディスプレイ画面を分割して構成されたマトリックスと、プロジェクタ表示画面を分割して構成されたマトリックスとのそれぞれを対応させた点に特徴を有する。
【発明の効果】
【００１０】
第１〜第５の発明によれば、ポインターを矢印キーなどで移動させるのではなく、座標キーによって移動させるので、ポインターを、座標データに対応した目的の位置にすばやく移動させることができる。
第１の発明では、携帯端末が座標データを特定してから発信するので、プロジェクタ側の処理負荷を軽くできる。
第３の発明では、プロジェクタ側で、座標データを特定するので、携帯端末側の処理負荷を軽くできる。
【００１１】
また、第２、第４の発明によれば、複数の座標キーの組み合わせによって、表示画面上において特定可能な位置座標の数を多くすることができる。従って、より細かな位置特定が、容易にできる。
第５の発明によれば、携帯端末側のディスプレイに、プロジェクタの表示画面に対応した画面が表示され、座標キーと画面との対応関係がわかりやすく、ユーザーは座標キーの選択がやりやすくなる。
【図面の簡単な説明】
【００１２】
【図１】実施例１のシステム構成図である。
【図２】実施例１の携帯電話機の平面図である。
【図３】実施例１のプロジェクタの表示画面である。
【図４】実施例２の表示画面である。
【図５】実施例３のシステム構成図である。
【発明を実施するための形態】
【００１３】
携帯端末として携帯電話機を利用して、プロジェクタで表示された表示画面内の任意の位置にポインターを表示させる際の操作を容易にしたポインティングシステムを実現した。
【実施例１】
【００１４】
図１〜図３に示す実施例１は、この発明の携帯端末としての携帯電話機１と、プロジェクタ２とからなり、プロジェクタ２がスクリーンに表示画像３を表示させる。
そして、このシステムで用いる携帯電話機１は、図２に示すように、その外観は通常の携帯電話機と同じで、本体４にディスプレイ５を備えたものである。本体４には、数字キーを備えているが、この数字キーのうち、「１」〜「９」の９個の数字キーが、この発明の座標キーとなる。そして、本体４には、これらの座標キー群Ｋのほかに、決定キー６、クリアキー７など、一般的な携帯電話機が有するキーを備えている。
【００１５】
また、上記本体４内には、図１に示すように、上記座標キー群Ｋに接続した制御部８、この制御部８に接続した記憶部９及び発信部１０を備えている。
なお、これらの制御部８、記憶部９及び発信部１０は、ポインティングシステムの機能を発揮するために必要な要素であり、携帯電話機１の電話機能などを発揮するための構成要素とは別のものである。
そして、この携帯電話機１をポインティングシステム用に使用する際には、上記ディスプレイ５に、プロジェクタ２による表示画面３と同じものを表示するようにしている。ただし、ディスプレイ５には、上記表示画面３を表示させなくてもよい。
なお、上記携帯電話機１のディスプレイ５に、上記表示画面３と同じ画面を表示させるためには、表示すべきデータを、コンピュータや画像データベースなどから、携帯電話機１へダウンロードする必要がある。
【００１６】
上記記憶部９は、上記座標キー群Ｋの各キーに対応付けた座標データを記憶している。この座標データは、プロジェクタ２において表示される表示画面３内の位置を特定するための座標である。この実施例１では、上記座標キー群Ｋの９個の座標キーには、図３に示す表示画面３を９分割したエリアａ１〜ａ９の各エリアを特定する座標を対応付けている。具体的には、上記座標データは、各エリアａ１〜ａ９の四隅のうち、対向する一対の点の座標や、各エリアａ１〜ａ９の中心点の座標などである。そして、この実施形態では、各座標キー「１」〜「９」のそれぞれに、各エリアａ１〜ａ９の座標データが１対１で対応付けられているものとする。
【００１７】
いずれにしても、上記座標データは、表示画面３内の位置を特定するデータであるが、スクリーン上に表示される表示画面３はその大きさが可変なので、上記座標データは、全画面における相対位置を特定できるものである。
また、制御部８は、座標キー群Ｋのうち、いずれかの数字キーが押されたとき、その数字キーに対応する座標データを、上記記憶部９から選択して発信部１０から発信する機能を備えている。
【００１８】
一方、プロジェクタ２は、上記発信部１０から発信された座標データを受信する受信部１１と、これに接続した制御部１２と、画像データを出力する出力部１３とを備えている。
上記制御部１２は、受信部１１から入力された座標データに基づいてポインターＰの位置を決定し、図示しないコンピュータなどからダウンロードされたメインの画像に、上記ポインターＰを合わせて、出力部３から出力させる機能を備えている。その結果、図３に示すように、スクリーンに表示される表示画面３にポインターＰが表示される。なお、図３には、破線で囲まれた９個のエリアａ１〜ａ９を示しているが、表示画面３上には各エリアを区画する境界線は表示されない。
【００１９】
以下に、この実施例１の作用を説明する。
スクリーンに表示されているプロジェクタ２の表示画面３に対して、ユーザーが、ポインターＰを表示させる位置を特定する手順は次のとおりである。なお、このシステムを開始させる際には、上記携帯電話機１をポインター制御モードにし、携帯電話機１の各機能をポインター制御用に設定する。
上記表示画面３が表示されている状態で、その中央部分、すなわちエリアａ５をポインターＰで指し示す場合、ユーザーは、エリアａ５に対応する座標キー「５」を押す。座標キー「５」が押された信号が制御部８へ入力され、制御部８はこの座標キー「５」に対応する座標データを記憶部９から特定して、発信部１０を介してプロジェクタ２へ発信する。
ここで発信される座標データは、上記表示画面３上のエリアａ５を特定するための座標データである。
【００２０】
なお、座標キーを押し間違えた場合に、すぐにクリアキー７を押せば、上記制御部８が、発信部１０から座標データを発信するのを中止するようにしてもよい。あるいは、座標キーを押すたびに、決定キー６を押すようにして、決定キー６からの決定信号の入力があったときに、制御部８が、直前に押された座標キーに対応する座標データを特定して、それを出力するようにしてもよい。このようにすれば、座標キーの押し間違いがあったときに、ポインターＰが間違った位置に表示されることがない。ただし、上記制御部８は、座標キーが押されたら、直ちに座標データを発信させるようにして、ユーザーが座標キーを押し間違えたときには、間違った位置にポインターが表示されても、正しい座標キーを押しなおせば、ポインターの位置が移動するようにしてもよい。
【００２１】
上記のように、携帯電話機１の発信部１０から座標データが発信されると、プロジェクタ２では、受信部１１が、上記座標データを受信し、それを制御部１２に入力する。制御部１２は、入力された座標データに基づいて、エリアａ５にポインターＰを表示させる。
なお、実際に表示させるポインターＰと入力された座標データとの関係は、予めプロジェクタ側に設定しておくようにしてもよいし、携帯電話機１側で、例えば、エリアａ５内における特定の１点の座標データを発信し、その座標をそのままポインターＰの座標としてもよい。
【００２２】
このように、ユーザーは携帯電話機１の座標キーを押すだけで、対応する位置にポインターを表示させることができる。プロジェクタ２から離れた場所にいても、従来のレーザービームポインターのように、手元のふらつきによってポインターの位置がふらふらすることもないし、矢印キーによってポインターを移動させるものと比べても、目的の位置へポインターを移動させる操作も容易になる。
【００２３】
また、携帯電話機１のディスプレイ５に、プロジェクタ２の表示画面３と同じ画面を表示させるようにすれば、ユーザーは、ディスプレイ５と座標キー群Ｋとを対比しながら、ポインターＰを表示させるべき位置を決めやすくなる。さらに、ディスプレイ５に、図２に破線で示した上記各エリアａ１〜ａ９の境界線を表示させるようにすれば、座標キーと上記各エリアとの対応が、視覚的によりわかりやすくなり、座標キーの選択がやりやすくなる。ただし、ディスプレイ５には、表示画面３と同じ画像を表示させずに、上記エリアａ１〜ａ９の境界線だけを表示させるようにしても、各座標キーとエリアとの対応関係はわかり易くなる。
【実施例２】
【００２４】
上記実施例１では、各座標キー「１」〜「９」のそれぞれに、各エリアａ１〜ａ９をそれぞれ、１対１に対応付けているが、複数の座標キーの組み合わせに、座標データを対応付けることもできる。
次に説明する実施例２では、９個の座標キー「１」〜「９」のうち、２個の座標キーを組み合わせることによって、表示画面３を、８１のエリアに区画し、それぞれのエリアを特定できるようにしている。
例えば、最初に、座標キーを一つ押すと、その座標キーに対応して、表示画面３を９等分したエリアを特定し、次に座標キーを押すと、先に特定されたエリア内をさらに９等分したエリアを特定できるようにする。
【００２５】
上記エリアの関係を、図４を用いて説明する。
プロジェクタ２の表示画面３全体を９等分した中エリアａ１〜ａ９には、上記実施例１と同じで、各座標キー「１」〜「９」が対応付けられている。
そして、これらの中エリアａ１〜ａ９のそれぞれをさらに、９等分して小エリアａ１１〜ａ９９を設定する。なお、ここでは、８１等分した各小エリアａ１１〜ａ９１には、「ａ」に、９等分した各中エリアを特定する数字の後に、この中エリア内の相対位置に応じた１〜９の数字をつけた符号を用いている。なお、図４は、プロジェクタ２の表示画面３を示しているが、この実施例２では、同じ画面が形態電話機１のディスプレイ５にも表示されるようにする。従って、上記ディスプレイ５の説明にも、この図４を用いる。ただし、プロジェクタ２の表示画面３には、破線や実践で示したエリアの境界線は表示されない。
【００２６】
そして、この実施例２も、図１、図２に示す実施例１と同様の構成であり、以下の説明には、実施例１と同じ符号を用いる。上記記憶部９が記憶している座標キーと座標データとの対応関係だけが、実施例１と異なる。
この実施例２では、上記記憶部９は、最初に押される座標キーには、表示画面３を９等分した中エリアを特定する座標データが対応付けられ、２番目に押される座標キーには、１番目の座標キーで特定された中エリア中の小エリアを特定する座標データが対応付けられている。そして、連続して押された座標キーが、１番目なのか、２番目なのかを区別するため、一組として操作される座標キー操作が終了するたびに、図２の決定キー６を押して、制御部８へ決定信号を入力するようにしている。この決定信号が、座標キーの組み合わせの区切りを携帯電話機１の制御部８に認識させるための信号である。
【００２７】
以下に、この実施例２のシステムで、ユーザーが、図４に示す小エリアａ５３にポインターＰを表示させる場合について説明する。この小エリアａ５３は、表示画面３の中央の中エリアａ５を９等分した小エリアのうち、上段の右端のエリアである。
ユーザーは、携帯電話機１の座標キー「５」を押すと、制御部８は押された座標キーに基づいて、表示画面３の中央の中エリアａ５に対応する座標データを特定する。この時点で、上記制御部８は、特定した中エリアａ５に対応する枠Ｆを、ディスプレイ５に表示させるようにしてもよい。このようにすれば、ユーザーは、最初に、座標キー「５」を押したことによって絞り込まれた中エリアがどこなのかを確認することができる。
【００２８】
次に、座標キー「３」が押され、さらに決定キー６が押されると、上記制御部８は、座標キー「５」→「３」と押されたことから、これに対応する小エリアａ５３の座標データを特定して、これを発信部１０から発信する。
プロジェクタ２では、受信部１１を介して受信した座標データに基づき、制御部１２が、上記小エリアａ５３の位置にポインターＰを表示させる。
この実施例２では、２つの座標キーの組み合わせによって、表示画面を８１に分割した各エリアに対応する座標位置に、ポインターを表示させることができる。そのため、実施例２のシステムでは、上記実施例１よりも、細かく位置を特定することができるが、座標キーを２回押すことによって位置特定ができるので、矢印キーなどを用いて位置の微調整する場合と比べて、操作が簡単で、ポインターをすばやく目的位置に移動することができる。
【００２９】
なお、この実施例２では、２つの座標キーを組み合わせることによって、より細かな位置特定ができるようにしたが、座標キーの組み合わせ数をもっと多くして、さらに細かな位置特定ができるようにしてもよい。
ただし、ユーザーが、ポインターＰを表示させるための位置として、上記小エリアまでの位置特定が必要ないと考えた場合には、座標キーを１つだけ押してから決定キー６を押すことで、中エリアに対応した座標データが発信部１０を介して発信され、上記実施例１と同様にポインターＰを表示させることもできる。
【実施例３】
【００３０】
図５に示す実施例３は、携帯電話機１が、座標キーに表示画面の座標データを対応付けて記憶する記憶部９を備えずに、プロジェクタ２が、携帯電話機１の座標キーに対応した座標データを記憶している記憶部１４を備えたシステムである。
携帯電話機１では、座標キーが押されると、制御部８は、その座標キーを特定する座標キー信号を、発信部１０を介してプロジェクタ２に対して発信する。プロジェクタ２では、制御部１２が、受信部１１を介して上記座標キー信号を受信し、この座標キー信号に基づいて、記憶部１４から座標データを特定し、その位置にポインターＰを表示させる機能を備えている。その他の構成は、上記実施例１と同じである。
【００３１】
この実施例３でも、上記実施例１と同様に、ユーザーは簡単な操作で、ポインターＰの位置を特定できる。
また、この実施例３のように、座標データをプロジェクタ２が記憶している場合には、携帯電話機１に記憶部９を備える必要がなくなるとともに、携帯電話機１の制御部８が、座標データを特定する機能を備えなくてもよくなるので、携帯電話機１側の処理負荷を軽減できる。
ただし、上記実施例１、２のように、携帯電話機１側で、記憶部９を備えるとともに、座標データの特定を行なうようにすれば、プロジェクタ２側の負荷を低減できることになる。
さらに、この実施例３においても、複数の座標キーの組み合わせに、座標データを対応付けることによって、より細かな位置特定を可能にすることができる。
【００３２】
上記実施例１〜３において、画面表示させるポインターＰは、図示の矢印に限らず、どのような図形でもかまわないし、特定したエリアの画像を変えたり、アニメーションを表示させたりしてもよい。また、ポインターマークを表示する代わりに、座標データで特定されたポイントや、エリア全体を、明るく表示させたり、揺らしたりしてもよい。要するに、目的の箇所を指示することができれば、いずれもポインターの表示とする。また、ポインター表示とともに、効果音を鳴らすなどしてもよい。
【００３３】
さらに、上記実施例１〜３において、携帯電話機１のディスプレイ５に、プロジェクタ２の表示画面３と同じものを表示させるためには、その画像データを携帯電話機１にもダウンロードする必要があるが、画像サーバーなどから、携帯電話機１とプロジェクタ２とに、それぞれダウンロードするようにしてもよいし、携帯電話機１が受信し、そのデータをプロジェクタ２へ送信するようにしてもよい。また、携帯電話機１に、プロジェクタ２にダウンロードした画面を切り替える機能を設けてもよい。
なお、上記実施形態では、携帯電話機１を携帯端末として使用しているが、この発明の形態端末は、座標キーを備えるとともに発信機能を備えていれば、携帯電話機に限らない。
ただし、携帯電話機１がもともと備えている数字キー「１」〜「９」を座標キーとし、表示画面３を９分割したエリアａ１〜ａ９に対応させた場合には、上記座標キー「１」〜「９」の配列とエリアａ１〜ａ９の配列が視覚的に対応するので、利用し易いというメリットがある。
【００３４】
さらにまた、上記各実施形態において、この発明の座標キーである数字キーを操作することによって、特定される座標を、座標キー以外のキー操作によって微調整できるようにしてもよい。例えば、携帯電話機４の図示していない矢印キーによって、上記座標キーによって特定した座標を、矢印方向へ僅かに移動させることができるようにしてもよい。このように、矢印キーなどでの微調整は、座標キーによって座標を特定してから、行なうものであり、初めに座標キーによって大体の位置が特定されてから行なうので、従来のように矢印キーだけで、ポインターを移動させる場合と比べて、目的の位置への移動が素早く、確実にできる。
【００３５】
なお、上記実施例２のように、座標キーを複数回操作して、エリアを絞り込んでいく場合に、上記矢印キーによる微調整は、最初に座標キーが操作された直後でもよいし、２回目以降の座標キー操作の後でも、どちらでもかまわない。例えば、最初に座標キーによって、上記表示画面３を９等分したエリアを特定したら、そのエリアに対応する座標キーを矢印キーによってわずかに移動させてから、次の座標キーを操作して、先に特定され、移動したエリア内の小エリアを特定するようにしてもよいし、先に、小エリアまで特定してから、それを僅かに移動させるようにしてもよい。いずれにしても、微調整のための信号が入力された場合、携帯端末１の制御部８またはプロジェクタ２の制御部１２では、上記微調整による移動分だけ、座標データをずらす調整を行なう必要がある。
【産業上の利用可能性】
【００３６】
特に、プロジェクタの表示画面から遠く離れた位置で、ポインターの位置を素早く制御しなければならない場合に有用である。
【符号の説明】
【００３７】
１    携帯電話機
２    プロジェクタ
３    表示画面
Ｋ    座標キー群
５    ディスプレイ
６    決定キー
８    制御部
９    記憶部
１０  発信部
１１  受信部
１２  制御部
１４  記憶部
Ｐ    ポインター
ａ１〜ａ９  エリア
ａ１１〜ａ９９  エリア
【図１】
2010165031.tif 000003
【図２】
2010165031.tif 000004
【図３】
2010165031.tif 000005
【図４】
2010165031.tif 000006
【図５】
2010165031.tif 000007